(57)【要約】【課題】間仕切壁を勾配天井面に接合する際に容易かつ正確に設置可能で、しかもコストの削減および施工性の向上を図ることができる、間仕切壁の施工方法及び間仕切壁構造を提供する。【解決手段】本発明に係る間仕切壁の施工方法は、複数の壁面３０のうち対向する二つの壁面３０間に棒状の中部間仕切部材（小壁パネル５０）を配設する工程と、前記中部間仕切部材５０の下部と床面４０とにより上下両端が支持される下部間仕切部材７０を配設する工程と、前記勾配天井面２０と中部間仕切部材５０の上部とにより上下両端が支持される上部間仕切部材６０を配設する工程とを備える。【選択図】      図１
2004169403.tif 000002
【特許請求の範囲】
【請求項１】
勾配天井面と床面と複数の壁面とを有する空間を間仕切る間仕切壁の施工方法であって、
前記複数の壁面のうち対向する二つの壁面間に棒状の中部間仕切部材を配設する工程と、
前記中部間仕切部材の下部と床面とにより上下両端が支持される下部間仕切部材を配設する工程と、
前記勾配天井面と中部間仕切部材の上部とにより上下両端が支持される上部間仕切部材を配設する工程とを備えることを特徴とする間仕切壁の施工方法。
【請求項２】
請求項１記載の間仕切壁の施工方法であって、
前記上部間仕切部材が、前記中部間仕切部材の上部に配設される下部ランナーと、前記勾配天井面に配設される上部ランナーと、下端が下部ランナーに支持され、上端が上部ランナーに支持される柱状の複数の支持材と、これら支持材に固定される面材とを備え、
下部ランナーは、上向き開口の溝型材により構成され、上部ランナーは下向き開口の溝型材により構成されていることを特徴とする間仕切壁の施工方法。
【請求項３】
請求項１又は２に記載の間仕切壁の施工方法であって、
前記下部間仕切部材が、芯材を枠状に組んだ枠体の少なくとも一方の表面に面材を固定して形成されるパネル体からなることを特徴とする間仕切壁の施工方法。
【請求項４】
請求項１〜３のいずれか一項に記載の間仕切壁の施工方法であって、
前記中部間仕切部材が、芯材を枠状に組んだ枠体の少なくとも一方の表面に面材を固定して形成されるパネル体からなることを特徴とする間仕切壁の施工方法。
【請求項５】
請求項１〜４のいずれか一項に記載の間仕切壁の施工方法であって、
前記中部間仕切部材の下部に、中部間仕切部材の下部と前記下部間仕切部材の上部との間に形成される空隙の寸法を調整する調整材を備えることを特徴とする間仕切壁の施工方法。
【請求項６】
勾配天井面と床面と複数の壁面とを有する空間を間仕切る間仕切壁構造であって、
前記複数の壁面のうち対向する二つの壁面間に配設される棒状の中部間仕切部材と、
前記中部間仕切部材の下部と床面とにより上下両端が支持される下部間仕切部材と、
前記勾配天井面と中部間仕切部材の上部とにより上下両端が支持される上部間仕切部材とを備えることを特徴とする間仕切壁構造。
【発明の詳細な説明】
【０００１】
【発明の属する技術分野】
本発明は、建物内に設けられる間仕切壁の施工方法及び間仕切壁構造に関する。
【０００２】
【背景の技術】
従来、住宅等の建物には内部空間を区画する間仕切壁が設けられている。
間仕切壁は、例えば、矩形のボードと、このボードの上下端辺に配置された断面Ｈ型の受け材（Ｈ型鋼）と、ボードの両面に張られた石膏ボード等の壁面材等から構成された間仕切パネルを複数連設することにより形成されており、間仕切パネルの上下端面には溝状の凹部が設けられている。そして、このような間仕切りパネルを、天井および床に設けた天井ランナーと床ランナーに、その上下端面の各凹部をそれぞれ嵌合することで固定している（例えば、特許文献１参照。）。
【０００３】
【特許文献１】
特開平９−２７９７２６号公報
【０００４】
【発明が解決しようとする課題】
ところで、上記特許文献１に開示されているような間仕切パネルを、傾斜した天井面（勾配天井）に取り付けるには、例えば、勾配天井の傾斜角度に対応するように、上部を傾斜させた三角形状の間仕切パネルを予め製造しておき、まず、この間仕切パネルを床面上に配設した後、勾配天井を形成する。そして、形成した勾配天井と間仕切パネルの上部とを固定することにより間仕切壁を形成している。
【０００５】
このように、間仕切パネルを配設した後に勾配天井を形成しているので、将来的に間仕切壁を取り払う必要が生じた場合に、勾配天井を加工することなく間仕切パネルを除去することが困難であるという問題があった。
また、傾斜した勾配天井に間仕切パネルの上部を固定するには、間仕切パネルの上端面を精度よく加工してその傾斜角度を厳密に管理しなければならず、施工に手間と時間を要するという問題があった。
また、勾配天井の傾斜角度に応じた、上部の傾斜角度が異なる複数の間仕切パネルを予め製造しておく必要があるため、製造コストが向上するという問題があった。
また、床面から勾配天井面までの距離が長い場合には、略矩形状の壁パネルを床面上に配設した後、この壁パネルの上部に三角形状の間仕切パネル（矢切りパネル）を取り付けて間仕切壁を形成する場合がある。
この場合、矢切りパネルを取り付ける前の壁パネルは、その下部のみが床面に固定（支持）された状態となる。従って、例えば、作業者が壁パネルの上部を支持した状態で矢切りパネルを取り付ける必要があるなど、間仕切壁の施工性が悪化するという問題があった。
【０００６】
本発明の課題は、上述の問題を考慮したものであり、間仕切壁を勾配天井面に接合する際に容易かつ正確に設置可能で、しかもコストの削減および施工性の向上を図ることができる、間仕切壁の施工方法及び間仕切壁構造を提供することである。
【０００７】
【課題を解決するための手段】
上記課題を解決するため、請求項１記載の発明は、例えば、図１に示すように、勾配天井面２０と床面４０と複数の壁面３０とを有する空間を間仕切る間仕切壁１０の施工方法であって、前記複数の壁面３０のうち対向する二つの壁面３０間に棒状の中部間仕切部材（小壁パネル５０）を配設する工程と、前記中部間仕切部材５０の下部と床面４０とにより上下両端が支持される下部間仕切部材７０を配設する工程と、前記勾配天井面２０と中部間仕切部材５０の上部とにより上下両端が支持される上部間仕切部材６０を配設する工程とを備えることを特徴とする。
【０００８】
請求項１に記載の発明によれば、間仕切壁１０を施工する際に、まず、対向する二つの壁面３０間に棒状の中部間仕切部材５０を配設し、その後、下部間仕切部材７０の上下両端を中部間仕切部材５０と床面４０に支持させ、上部間仕切部材６０の上下両端を勾配天井面２０と中部間仕切部材５０に支持させる。
従って、下部間仕切部材７０は、その下部が床面４０に支持されるだけでなく、その上部が中部間仕切部材５０に支持されることになり、例えば、間仕切壁の施工時に作業者が下部間仕切部材７０の上部を支持する必要が無くなり、施工性を向上できる。
また、例えば従来の間仕切壁の施工方法のように、間仕切パネルを床面上に配設した後に勾配天井を形成する必要が無くなり、将来的に間仕切壁１０を除去する必要が生じた場合でも、勾配天井面２０の加工を必要とせず、大空間を容易に得ることができる。
【０００９】
請求項２に記載の発明は、請求項１に記載の間仕切壁の施工方法であって、前記上部間仕切部材６０が、前記中部間仕切部材５０の上部に配設される下部ランナー６２と、前記勾配天井面２０に配設される上部ランナー６１と、下端が下部ランナー６２に支持され、上端が上部ランナー６１に支持される柱状の複数の支持材６３と、これら支持材６３に固定される面材とを備え、下部ランナー６２は、上向き開口６２ａの溝型材により構成され、上部ランナー６１は下向き開口６１ａの溝型材により構成されていることを特徴とする。
【００１０】
請求項２に記載の発明によれば、請求項１と同様の効果を得られると共に、上部ランナー６１と下部ランナー６２は、それぞれ下向き開口６１ａおよび上向き開口６２ａとなっているため、各ランナー６１、６２をボルトやビス等で勾配天井面２０や中部間仕切部材５０の上部に接合する際や支持材６３を各ランナーに接合する際に、接合作業を容易に行うことができる。また、上部ランナー６１と下部ランナー６２に固定される複数の支持材６３と、支持材６３に固定された面材を備えることで、間仕切壁１０をより強固な構造にすることができ、耐久性に優れた間仕切壁を提供できる。
また、勾配天井面２０の傾斜角度に応じた、上部の傾斜角度が異なる複数の間仕切パネルを予め製造しておく必要が無くなると共に、間仕切パネルの上端面を精度よく加工してその傾斜角度を厳密に管理する必要が無くなり、製造コストや施工に要する手間と時間を抑えることができる。
【００１１】
請求項３に記載の発明は、請求項１又は２に記載の間仕切壁の施工方法であって、前記下部間仕切部材７０が、芯材７１を枠状に組んだ枠体の少なくとも一方の表面に面材（石膏ボード７２）を固定して形成されるパネル体（壁パネル７３）からなることを特徴とする。
【００１２】
請求項３に記載の発明によれば、請求項１又は２と同様の効果を得られると共に、前記下部間仕切部材７０を、芯材７１を枠状に組んだ枠体の少なくとも一方の表面に面材７２を固定して形成されるパネル体で構成するので、間仕切壁１０の施工性を向上することができる。
【００１３】
請求項４に記載の発明は、請求項１〜３のいずれか一項に記載の間仕切壁の施工方法であって、前記中部間仕切部材５０が、芯材５１を枠状に組んだ枠体の少なくとも一方の表面に面材（石膏ボード５２）を固定して形成されるパネル体からなることを特徴とする。
【００１４】
請求項４に記載の発明によれば、請求項１〜３のいずれか一項と同様の効果を得られると共に、前記中部間仕切部材５０を、芯材５１を枠状に組んだ枠体の少なくとも一方の表面に面材５２を固定して形成されるパネル体で構成するので、間仕切壁１０の施工性を向上することができる。
【００１５】
請求項５に記載の発明は、請求項１〜４のいずれか一項に記載の間仕切壁の施工方法であって、前記中部間仕切部材５０の下部に、中部間仕切部材５０の下部と前記下部間仕切部材７０の上部との間に形成される空隙の寸法を調整する調整材５３を備えることを特徴とする。
【００１６】
請求項５に記載の発明によれば、請求項１〜４のいずれか一項と同様の効果を得られると共に、中部間仕切部材５０の下部に配設される調整材５３により、中部間仕切部材５０の下部と前記下部間仕切部材７０の上部との間の空隙を小さくして、美観的効果に優れた間仕切壁を提供することができる。
【００１７】
請求項６に記載の発明は、勾配天井面２０と床面４０と複数の壁面３０とを有する空間を間仕切る間仕切壁構造であって、前記複数の壁面のうち対向する二つの壁面３０間に配設される棒状の中部間仕切部材５０と、前記中部間仕切部材５０の下部と床面４０とにより上下両端が支持される下部間仕切部材７０と、前記勾配天井面２０と中部間仕切部材５０の上部とにより上下両端が支持される上部間仕切部材６０とを備えることを特徴とする。
【００１８】
請求項６に記載の発明によれば、対向する二つの壁面３０間に配設した棒状の中部間仕切部材５０を配設した後に、下部間仕切部材７０及び上部間仕切部材６０を配設することにより、例えば従来の間仕切壁の施工方法のように、間仕切パネルを床面上に配設した後に勾配天井を形成する必要が無くなり、将来的に間仕切壁１０を除去する必要が生じた場合でも、勾配天井面２０の加工を必要とせず、大空間を容易に得ることができる。
【００１９】
【発明の実施の形態】
以下、本発明の実施の形態について、図面を参照して説明する。
図１及び図２は、本発明に係る間仕切壁構造を示すものである。
本実施の形態において、間仕切壁１０が配置される住宅Ｈは勾配屋根を有する二階建ての住宅であり、二階の空間を二つの居室に区切るための壁として間仕切壁１０を適用している。
【００２０】
なお、以下の説明においては、便宜上、天井面のうち傾斜している面を「勾配天井面２０」といい、その他の面を単に「天井面２１」という。
二階の空間とは、複数の壁面３０（図１には一つの壁面のみを示す。）、勾配天井面２０、天井面２１、床面４０により囲まれた空間を指す。
【００２１】
間仕切壁１０は、中部間仕切部材５０と中部間仕切部材５０の上下に配置される上部間仕切部材６０及び下部間仕切り部材７０等から概略構成される。
中部間仕切部材５０は、図１に示す一つの壁面３０と、この壁面３０に対向する壁面３０（図２を参照。）の間に架設される棒状の部材であり、間仕切壁１０の小壁として機能する部材である。
中部間仕切部材５０は、芯材５１を枠状に組んで構成される枠体の表面に面材としての石膏ボード５２を貼り付けて形成されるパネル状の部材（パネル体）である。石膏ボード５２は、枠体の左右両面に貼り付けてもよく、左右いずれか一方の面にのみ貼り付けてもよい。
【００２２】
なお、以下の説明においては、この中部間仕切部材５０を「小壁パネル５０」と表記する。また、小壁パネル５０の下面には略矩形状の板体である調整材５３（図４（Ｂ）を参照。）が接合されており、調整材５３の上下方向の長さを変更することにより、中部間仕切部材５０の下部と下部間仕切部材７０の上部との間に形成される空隙の寸法を調整することができるようになっている。
【００２３】
下部間仕切部材７０は、小壁パネル５０の下部と床面４０とにより上下両端が支持される部材である。
下部間仕切部材７０は、芯材７１を枠状に組んで構成される枠体の表面に、面材としての石膏ボード７２を貼り付けて形成される壁パネル７３（パネル体）を、前後方向に連続して配置することで構成されている。石膏ボード７２は枠体の左右両面に貼り付けてもよく、左右いずれか一方の面にのみ貼り付けてもよい。
なお、図４（Ｂ）に示すように、石膏ボード７２の上端部分は枠体の上端よりも僅かに上方に突出するようになっており、この突出した部分の裏面に石膏ボード７２を補強するための補強部材７４が取り付けられている。
なお、本実施の形態においては、下部間仕切部材７０の一部に開口７５が形成されており、開口７５の上部に、壁パネル７３の上下方向の長さを短くしたパネル（間仕切小壁パネル７６）が配置されている。
【００２４】
上部間仕切部材６０は、勾配天井面２０と小壁パネル５０の上部とにより上下両端が支持される部材である。
上部間仕切部材６０は、上部ランナー６１、下部ランナー６２、複数の支持材６３、これら支持材６３に固定される面材（図示略）等から概略構成される。
【００２５】
上部ランナー６１は、断面形状が略コ字状で下向きの開口６１ａを有する鋼製薄型材であり、ビス６１ｂ（図６を参照。）等の周知の締結部材により、勾配天井面２０及び天井面２１に接合している。
下部ランナー６２は、断面形状が略コ字状で上向きの開口６２ａを有する鋼製薄型材であり、ビス６２ｂ（図６を参照。）等の周知の締結部材により、小壁パネル５０の上面に接合している。
【００２６】
支持材６３は、その左右方向の長さが上部ランナー６１及び下部ランナー６２の開口６１ａ、６２ａの内面の左右方向の長さより若干短く形成されている棒状部材である。
各支持材６３は、その上下両端が上部ランナー６１の開口６１ａ及び下部ランナー６２の開口６２ａの内面に当接した状態で固定（支持）されている。
そして、勾配天井面２０及び天井面２１の形状に対応するように切断した面材としての石膏ボードを支持材６３の左右両側面に接合することにより上部間仕切部材６０が構成されている。
【００２７】
次に、上述のような構成からなる間仕切壁１０の施工方法について説明する。まず、図３（Ａ）に示すように、小壁パネル５０を、対向する二つの壁面３０間に架設した状態で、図３（Ｂ）に示すように小壁パネル５０の左右両側面から壁面３０にまで至る釘５４を用いて固定する。
次に、図４（Ａ）及び（Ｂ）に示すように、小壁パネル５０の下面に調整材５３を固定する。なお、予め調整材５３を小壁パネル５０に固定した状態で、小壁パネル５０を壁面３０に固定してもよい。
【００２８】
次に、図４（Ｂ）に示すように、調整材５３の下面に調整材５３の左右方向の長さより若干短い上部受け材５５を取り付ける。
この際に、小壁パネル５０の左右両表面のうち一方の表面（本実施の形態においては右側の表面）と調整材５３及び上部受け材５５の右側面がほぼ面一となるようにしておく。
なお、上部受け材５５は調整材５３の長手方向（前後方向）の全域に及ぶように取り付けても良く、あるいは、調整材５３の長手方向に所定間隔を空けて複数個取り付けても良い。
【００２９】
そして、壁パネル７３の補強部材７４の裏面と、上部受け材５５の左側面とを当接させた状態で接合する。
小壁パネル５０の下面のうち、間仕切小壁パネル７６と接合する部分には、図４（Ｃ）に示すように、上部受け材５５を取り付けず、調整材５３の下面と間仕切小壁パネル７６の上面とを直接当接させた状態で接合する。
【００３０】
次に、図５（Ａ）及び（Ｂ）に示すように、上部ランナー６１を天井面２１と勾配天井面２０に接合し、下部ランナー６２を小壁パネル５０の上面に接合する。
図６の上部は、図２中に符号Ａ１で囲まれた箇所における上部ランナー６１と勾配天井面２０との接合部構造を示すものである。
上部ランナー６１の内面から勾配天井面２０を構成する屋根パネルの石膏ボード２０ａを貫通して、屋根芯材２０ｂにまで至るビス６１ｂを用いて、上部ランナー６１と勾配天井面２０とを固定している。
【００３１】
図６の下部は、図２中に符号Ａ２で囲まれた箇所における下部ランナー６２と小壁パネル５０との接合部構造を示すものである。
下部ランナー６２の内面から小壁パネル５０上部の芯材５１を貫通するビス６２ｂを用いて、下部ランナー６２と小壁パネル５０とを固定している。
図７（Ａ）は、図２中に符号Ａ３で囲まれた箇所における上部ランナー６１と天井面２１との接合部構造を示すものである。
上部ランナー６１の内面から天井面２１を構成する石膏ボード２１ａを貫通して、断面略コ字状に形成され、上部に開口を備える鋼製の芯材２１ｂにまで至るビス６１ｃを用いて、上部ランナー６１と天井面２１とを固定している。
なお、鋼製の芯材２１ｂを、小壁パネル５０の配置方向（前後方向）に沿って配置する場合には、上部ランナー６１と天井面２１との接合部構造は図７（Ｂ）に示すようになる。
【００３２】
そして、複数の支持材６３を、前後方向に所定の間隔を空けて上部ランナー６１の開口６１ａ及び下部ランナー６２の開口６２ａに差し込んで固定する。なお、必要に応じて、支持材６３と上部ランナー６１及び下部ランナー６２とをビス等を用いて固定してもよい。
そして、図示は省略するが、石膏ボードを支持材６３の左右両側面に接合して間仕切壁１０の施工が完了する。
【００３３】
以上のように、本実施の形態に示した間仕切壁１０の施工方法及び間仕切壁構造によれば、間仕切壁１０を施工する際に、まず、対向する二つの壁面３０間に棒状の中部間仕切部材５０を配設し、その後、下部間仕切部材７０の上下両端を中部間仕切部材５０と床面４０に支持させ、上部間仕切部材６０の上下両端を勾配天井面２０と中部間仕切部材５０に支持させる。
従って、下部間仕切部材７０は、その下部が床面４０に支持され、その上部が中部間仕切部材５０に支持されるので、例えば、間仕切壁の施工時に作業者が下部間仕切部材７０の上部を支持する必要が無くなり、施工性を向上できる。
また、将来的に間仕切壁１０を除去する必要が生じた場合でも、勾配天井面２０の加工を必要とせず、大空間を容易に得ることができる。
また、上部ランナー６１と下部ランナー６２は、それぞれ下向き開口６１ａ及び上向き開口６２ａを備えているため、各ランナー６１、６２をビス６１ｂ、６２ｂ等で勾配天井面２０や小壁パネル５０の上部に接合する際や、支持材６３を各ランナー６１、６２に固定する際の作業性を向上できる。また、上部ランナー６１と下部ランナー６２に固定される複数の支持材６３と、支持材６３に固定される面材を備えることで、間仕切壁１０をより強固な構造にすることができ、耐久性に優れた間仕切構造を提供できる。
【００３４】
また、従来の間仕切壁構造のように、勾配天井面２０の傾斜角度に応じた、上部の傾斜角度が異なる複数の間仕切パネルを予め製造しておく必要が無くなると共に、間仕切パネルの上端面を精度よく加工してその傾斜角度を厳密に管理する必要が無くなり、製造コストや施工に要する手間と時間を抑えることができる。また、下部間仕切部材７０及び中部間仕切部材５０をパネル体で構成するので、間仕切壁１０の施工性を向上することができる。
また、中部間仕切部材５０の下部に配設する調整材５３により、中部間仕切部材５０の下部と前記下部間仕切部材７０の上部との間の空隙を小さくできるので、美観的効果に優れた間仕切壁構造を提供することができる。
【００３５】
なお、本実施の形態においては、中部間仕切部材５０として芯材５１を枠状に組んで構成される枠体の表面に面材（石膏ボード５２）を貼りつけて形成されるパネル状の部材を用いることとしたが、これに限らず、二つの壁面３０間に架設可能な棒状の部材であればよい。
また、下部間仕切部材７０としてパネル状の部材（壁パネル７３）を用いることとしたが、これに限らず、小壁パネル５０の下部と床面４０とにより上下両端が支持され、空間を２つの居室に区切ることが可能な板状の部材であればよい。また、小壁パネル５０の下面に調整材５３及び上部受け材５５を取り付け、壁パネル７３の石膏ボード７２の上部に補強部材７４を取り付け、これら上部受け材５５及び補強部材７４を介して小壁パネル５０と壁パネル７３とを接合するものとしたが、これに限らず、小壁パネル５０の下部と壁パネル７３の上部とを直接接合する構造であってもよい。
【００３６】
【発明の効果】
請求項１に記載の発明によれば、間仕切壁を施工する際に、まず、対向する二つの壁面間に棒状の中部間仕切部材を配設し、その後、下部間仕切部材の上下両端を中部間仕切部材と床面に支持させ、上部間仕切部材の上下両端を勾配天井面と中部間仕切部材に支持させる。
従って、下部間仕切部材は、その下部が床面に支持されるだけでなく、その上部が中部間仕切部材に支持されることになり、例えば、間仕切壁の施工時に作業者が下部間仕切部材の上部を支持する必要が無くなり、施工性を向上できる。
また、例えば従来の間仕切壁の施工方法のように、間仕切パネルを床面上に配設した後に勾配天井を形成する必要が無くなり、将来的に間仕切壁を除去する必要が生じた場合でも、勾配天井の加工を必要とせず、大空間を容易に得ることができる。
【００３７】
請求項２に記載の発明によれば、請求項１と同様の効果を得られると共に、上部ランナーと下部ランナーは、それぞれ下向きおよび上向き開口となっているため、各ランナーをボルトやビス等で勾配天井面や中部間仕切部材の上部に接合する際や支持材を各ランナーに接合する際に、接合作業を容易に行うことができる。また、上部ランナーと下部ランナーに固定される複数の支持材と、支持材に固定された面材を備えることで、間仕切壁をより強固な構造にすることができ、耐久性に優れた間仕切構造を提供できる。
また、勾配天井の傾斜角度に応じた、上部の傾斜角度が異なる複数の間仕切パネルを予め製造しておく必要が無くなると共に、間仕切パネルの上端面を精度よく加工してその傾斜角度を厳密に管理する必要が無くなり、製造コストや施工に要する手間と時間を抑えることができる。
【００３８】
請求項３に記載の発明によれば、請求項１又は２と同様の効果を得られると共に、前記下部間仕切部材を、芯材を枠状に組んだ枠体の少なくとも一方の表面に面材を固定して形成されるパネル体で構成するので、間仕切壁の施工性を向上することができる。
【００３９】
請求項４に記載の発明によれば、請求項１〜３のいずれか一項と同様の効果を得られると共に、前記中部間仕切部材を、芯材を枠状に組んだ枠体の少なくとも一方の表面に面材を固定して形成されるパネル体で構成するので、間仕切壁の施工性を向上することができる。
【００４０】
請求項５に記載の発明によれば、請求項１〜４のいずれか一項と同様の効果を得られると共に、中部間仕切部材の下部に配設される調整材により、中部間仕切部材の下部と前記下部間仕切部材の上部との間の空隙を小さくして、美観的効果に優れた間仕切壁構造を提供することができる。
【００４１】
請求項６に記載の発明によれば、対向する二つの壁面３０間に配設した棒状の中部間仕切部材５０を配設した後に、下部間仕切部材７０及び上部間仕切部材６０を配設することにより、例えば従来の間仕切壁の施工方法のように、間仕切パネルを床面上に配設した後に勾配天井を形成する必要が無くなり、将来的に間仕切壁１０を除去する必要が生じた場合でも、勾配天井面２０の加工を必要とせず、大空間を容易に得ることができる。
【図面の簡単な説明】
【図１】本実施の形態に係る間仕切壁構造を示す斜視図である。
【図２】間仕切壁構造を示す側面図である。
【図３】間仕切壁の施工方法を示す斜視図（Ａ）及び平面図（Ｂ）である。
【図４】間仕切壁の施工方法を示す斜視図（Ａ）及び正面図（Ｂ）、（Ｃ）である。
【図５】間仕切壁の施工方法を示す斜視図（Ａ）、（Ｂ）である。
【図６】間仕切壁の接合部構造を示す正面図である。
【図７】間仕切壁の接合部構造を示す正面図（Ａ）、（Ｂ）である。
【符号の説明】
１０    間仕切壁
２０    勾配天井面
３０    壁面
４０    床面
５０    中部間仕切部材
５１    芯材
５２    面材（石膏ボード）
５３    調整材
６０    上部間仕切部材
６１    上部ランナー
６１ａ  下向き開口
６２    下部ランナー
６２ａ  上向き開口
６３    支持材
７０    下部間仕切部材
７１    芯材
７２    面材（石膏ボード）
【図１】
2004169403.tif 000003
【図２】
2004169403.tif 000004
【図３】
2004169403.tif 000005
【図４】
2004169403.tif 000006
【図５】
2004169403.tif 000007
【図６】
2004169403.tif 000008
【図７】
2004169403.tif 000009